(57)【要約】  ハウジング（１０１Ｅ）と、ハウジングに対する運動のために取り付けられたキャリア要素（１０２Ｅ）と、ハウジングからキャリア要素が離れるのを防ぐためのロッキングアセンブリと、を有し、ロッキングアセンブリが、ハウジングにおいて第１の支持位置（１３３）及び第２の支持位置（１３４）で支持された少なくとも第１のロッキング要素（１１３）であって、キャリア要素の第１の開口又は凹部（１２３）に係合する、少なくとも第１のロッキング要素（１１３）を有するか、又はハウジングにおいて第１の支持位置（１３０；１３１）で支持された少なくとも第１のロッキング要素（１１０；１１１）であって、キャリア要素の第１の開口又は凹部（１２０；１２１）に係合する、少なくとも第１のロッキング要素（１１０；１１１）と、キャリア要素とハウジングとをロックするように配置された第２のロッキング要素（１０３；１６２Ａ；１１２）を有するかのいずれかである、口腔ケア用具。
2013542832.tif 000002
【特許請求の範囲】
【請求項１】
ハウジング（１０１Ｅ）と、
前記ハウジングに対する運動のために取り付けられたキャリア要素（１０２Ｅ）と、
前記ハウジングから前記キャリア要素が離れるのを防ぐためのロッキングアセンブリと、を備え、
前記ロッキングアセンブリが、前記ハウジングにおいて第１の支持位置（１３３）及び第２の支持位置（１３４）で支持された第１のロッキング要素（１１３）であって、前記キャリア要素の第１の開口又は凹部（１２３）に係合する、少なくとも第１のロッキング要素（１１３）を含み、
前記第１のロッキング要素の支持されていない長さが、前記第１のロッキング要素が前記ハウジングに支持されている支持長さの少なくとも２倍である、口腔ケア用具。
【請求項２】
前記第１の支持位置及び前記第２の支持位置での前記ハウジングの前記支持長さが、それぞれ、前記第１のロッキング要素の直径の約４倍未満であり、前記直径が、前記それぞれの支持位置で測定され、具体的には、前記第１の支持位置及び前記第２の支持位置での前記ハウジングの厚さは、それぞれ、約４ｍｍ未満である、請求項１に記載の口腔ケア用具。
【請求項３】
前記前記第１のロッキング要素の前記支持されていない長さが、約６．０ｍｍ〜約１５．０ｍｍである、請求項１又は２に記載の口腔ケア用具。
【請求項４】
ハウジング（１０１Ａ；１０１Ｂ，１０１Ｄ）と、
前記ハウジングに対する運動のために取り付けられたキャリア要素（１０２Ａ；１０２Ｂ，１０２Ｄ）と、
前記ハウジングから前記キャリア要素が離れるのを防ぐためのロッキングアセンブリと、を備え、
前記ロッキングアセンブリが、前記ハウジングにおいて第１の支持位置（１３０；１３１）で支持された第１のロッキング要素（１１０；１１１）であって、前記キャリア要素の第１の開口又は凹部（１２０；１２１）に係合する、少なくとも第１のロッキング要素（１１０；１１１）と、前記キャリア要素と前記ハウジングとをロックするように配置された第２のロッキング要素（１０３，１６２Ａ，１１２）と、を含み、
前記第２のロッキング要素（１０３）が、前記キャリア要素（１０２Ａ）で支持され、具体的には、前記第２のロッキング要素（１０３）は、前記キャリア要素の一体部分であり、かつ前記ハウジングに設けられた第２の開口又は凹部（１０４）に係合する、口腔ケア用具。
【請求項５】
前記キャリア要素（１０２Ａ；１０２Ｂ，１０２Ｄ；１０２Ｅ）が、回転軸（Ｒ）を中心とした回転運動又は振動回転運動のために取り付けられ、具体的には、前記回転軸は、前記口腔ケア用具の長手方向に対して垂直に配置されている、請求項１〜４のいずれか一項に記載の口腔ケア用具。
【請求項６】
前記第１の支持位置（１３０；１３１）及び前記第２の支持位置（１３５；１３２）が、前記回転軸（Ｒ）に対して少なくとも３０度の角距離で配置されている、請求項５に記載の口腔ケア用具。
【請求項７】
前記ハウジングの材料が、２５００Ｎ／ｍｍ２未満のＥ−モジュール、即ち引張強度を有し、前記材料は、具体的には、ポリプロピレン、アクリロニトリル−ブタジエン−スチレン、及びアクリロニトリル−スチレン−アクリレートの群のうちの１つである、請求項１〜６のいずれか一項に記載の口腔ケア用具。
【請求項８】
前記第１のロッキング要素（１１０；１１１）が、具体的には硬化鋼から作製された円筒状金属ピンとして実現される、請求項１〜７のいずれか一項に記載の口腔ケア用具。
【請求項９】
前記第１のロッキング要素（１１０；１１１）が、前記第１の支持位置及び／又は前記第２の支持位置で測定されて約０．５ｍｍ〜約２．０ｍｍ、特に約０．７ｍｍ〜約１．５ｍｍの直径を有する、請求項１〜８のいずれか一項に記載の口腔ケア用具。
【請求項１０】
臨界引き離し力（Ｆ）は、少なくとも３５ニュートン、特に少なくとも４５ニュートン、より正確には少なくとも９０ニュートンである、請求項１〜９のいずれか一項に記載の口腔ケア用具。
【請求項１１】
前記キャリア要素が、少なくとも部分的に前記ハウジングを越えて延びる、請求項１〜１０のいずれか一項に記載の口腔ケア用具。
【請求項１２】
前記第１のロッキング要素（１１０；１１１）が、前記ハウジング内に圧入される、請求項１〜１１のいずれか一項に記載の口腔ケア用具。
【請求項１３】
前記ハウジングが、少なくとも前記第１の支持位置にて補強される及び／又は厚くされる、請求項１〜１２のいずれか一項に記載の口腔ケア用具。
【請求項１４】
前記口腔ケア用具が、電動口腔ケアデバイスの交換ヘッド、具体的には、電動歯ブラシの交換ブラシヘッドとして実現される、請求項１〜１３のいずれか一項に記載の口腔ケア用具。
【発明の詳細な説明】
【技術分野】
【０００１】
本発明は、口腔ケア用具、具体的には、ハウジングと、ハウジングに対する運動のために取り付けられたキャリア要素と、を備える、口腔ケア用具に関する。
【背景技術】
【０００２】
口腔ケア用具は、ハウジングに対する運動のために取り付けられたキャリア要素を有するとして知られており、この口腔ケア用具は、電動歯ブラシの交換ブラシヘッドとして実現されており、キャリア要素は、振動回転するように取り付けられた剛毛（bristle）キャリアとして実現されている。引き離し力がキャリア要素に作用した場合に、可動に支持されたキャリア要素がハウジングから離れ得るのを防ぐために、ハウジングで支持され、かつキャリア要素の開口又は凹部に係合するロッキングピンを使用することにより、キャリア要素をハウジングに固定することも更に知られている。後者は特に、口腔ケア用具が床に落ちたとき、又はユーザが口腔ケア用具を口の中に押し込んだときに起こる可能性がある。ロッキングピンに作用するてこ力によって、ロッキングピンが取り払われる可能性がある。
【発明の概要】
【発明が解決しようとする課題】
【０００３】
したがって、可動に取り付けられたキャリア要素のロッキングが改善された口腔ケア用具を提供するという要求がある。
【課題を解決するための手段】
【０００４】
上記の要求は、独立した請求項による口腔ケア用具によって満たされる。更なる実施形態は、従属請求項によって定義される。
【０００５】
少なくとも１つの態様によると、ハウジングと、ハウジングに対する運動のために取り付けられたキャリア要素と、ハウジングからキャリア要素が離れるのを防ぐためのロッキングアセンブリと、を備え、ロッキングアセンブリは、ハウジングにおいて第１の支持位置及び第２の支持位置で支持された少なくとも第１のロッキング要素であって、キャリア要素の第１の開口又は凹部に係合する、少なくとも第１のロッキング要素を含み、第１のロッキング要素の支持されていない長さは、第１のロッキング要素がハウジングに支持されている支持長さの少なくとも２倍である、口腔ケア用具が提供される。
【０００６】
少なくとも１つの態様によると、ハウジングと、ハウジングに対する運動のために取り付けられたキャリア要素と、ハウジングからキャリア要素が離れるのを防ぐためのロッキングアセンブリと、を備え、ロッキングアセンブリは、ハウジングにおいて第１の支持位置で支持された少なくとも第１のロッキング要素であって、キャリア要素の第１の開口又は凹部に係合する、少なくとも第１のロッキング要素と、キャリア要素と前記ハウジングとをロックするように配置された第２のロッキング要素とを含み、第２のロッキング要素は、キャリア要素で支持される、口腔ケア用具が提供される。いくつかの実施形態では、第２のロッキング要素は、ハウジングに設けられた第２の開口又は凹部に係合するキャリア要素の一体部分であり得る。
【０００７】
本開示の一態様により、口腔ケア用具は、電動歯ブラシの交換ブラシヘッドとして実現され得る。
【図面の簡単な説明】
【０００８】
本開示は、代表的な実施形態の詳細な説明により、及び図を参照して、更に明らかにされる。図中、
【図１】交換可能なブラシヘッドとして実現された口腔ケア用具を有する電動歯ブラシとして実現された口腔ケアデバイスの図。
【図２】電動歯ブラシのための交換可能なブラシヘッドとして実現された口腔ケア用具の図。
【図３】図２に示されるブラシヘッドを通る縦断図であり、ここで、ロッキングアセンブリは、第１の開口又は凹部に係合する第１のロッキング要素を含む。
【図４】本開示によるブラシヘッドの別の実施形態を通る縦断図であり、ここで、ロッキングアセンブリは、第１のロッキング要素及び第２のロッキング要素を含み、第２のロッキング要素は、キャリア要素と一体。
【図５】本開示によるブラシヘッドの更なる実施形態のヘッド部分を通る縦断図であり、ここで、ロッキングアセンブリは、第１のロッキング要素及び第２のロッキング要素を含み、第２のロッキング要素は、シャフト要素が取り付けられた金属心棒の延長部として実現されている。
【図６】可動に取り付けられたキャリア要素を備える電動歯ブラシのヘッド部分の平面図。
【図７】図６に示されるブラシヘッドの第１の実施形態を通る、図６に示されるＡ−Ａ面に沿った断面図であり、ここで、ロッキングアセンブリは、第１のロッキング要素を含む。
【図８】本開示による図６に示されるブラシヘッドの更なる実施形態を通る、図６に示されるＡ−Ａ面に沿った断面図であり、ここで、ロッキングアセンブリは、第１のロッキング要素及び第２のロッキング要素を含む。
【図９Ａ】本開示による図６に示されるブラシヘッドの別の実施形態を通る、図６に示されるＢ−Ｂ面に沿った縦断図であり、ここで、ロッキングアセンブリは、ハウジングにおいて第１の支持位置及び第２の指示位置で支持される第１のロッキング要素を含む。
【図９Ｂ】図９Ａに示されるブラシヘッドを通る、図９Ａに示されるＤ−Ｄ面に沿った縦断図。
【発明を実施するための形態】
【０００９】
電動歯ブラシなどの口腔ケア用具は、告示されているＥＮ  ６０３３５−２−５２／Ａ１１（「Ｐａｒｔｉｃｕｌａｒ  ｒｅｑｕｉｒｅｍｅｎｔｓ  ｆｏｒ  ｏｒａｌ  ｈｙｇｉｅｎｅ  ａｐｐｌｉａｎｃｅｓ」）などの対応する規格に一致している必要がある。この規格によれば、器具は、７００ｍｍの高さから硬材板への落下に損傷なしに耐えることが必要である（例えば、ＣＥＮＥＬＥＣにより入手可能な文献を参照）。具体的には、落下は、歯ブラシの可動に取り付けられた部分、例えば可動に取り付けられた（剛毛）キャリア要素に力を掛け得る。それらの可動に取り付けられた部分は、掛けられた力が臨界引き離し力を超えた場合に、歯ブラシから分離する可能性がある。当該技術分野では、ロッキング要素、例えばブラシヘッドハウジングの孔に圧入される金属ピンを含み、そのロッキング要素が、キャリアに設けられた開口又は凹部に更に係合する、ロッキングアセンブリによって、可動に配置されたキャリア要素をロックすることが知られている。７００ｍｍからの落下は、キャリア要素に力を掛け得、その結果、ロッキング要素は、具体的にはてこ力がロッキング要素に作用し得る際に、ハウジングから取り払われる（即ち、電動歯ブラシが損傷し、キャリア要素が分離する）。本開示の一態様によると、そのような損傷がたやすく起こる可能性を避ける又は少なくとも低減させることを目的とする改善が記載される。また、ロックの改善により、例えばユーザが可動に取り付けられたキャリア要素の下に歯を押し込むときに起こり得るようなゆっくりと作用する臨界引き離し力は、キャリア要素をハウジングから簡単に分離させないという更なる効果を有する。
【００１０】
提案される口腔ケア用具のいくつかの実施形態を、以下に説明する。本開示による口腔ケア用具は、電動歯ブラシなどの口腔ケアデバイスであるか、又は口腔ケア用具は、口腔ケアデバイスの交換ヘッド、例えば電動歯ブラシの交換ブラシヘッドであり得るかのいずれかであり得る。
【００１１】
図１は、ハンドル２０と、本明細書ではブラシヘッド１０として実現された取り外し可能に配置されたヘッド部分と、を有する電動歯ブラシとして実現された口腔ケアデバイスの代表的な実施形態の図である。口腔ケア用具が電動歯ブラシの交換可能なブラシヘッドとして実現される代表的な実施形態を、以下に説明する。これは、本開示の範囲を制限するように解釈するべきではない。
【００１２】
図２は、交換可能なブラシヘッド１０として実現するよう提案された代表的な口腔ケア用具の図である。ブラシヘッド１０は、可動に配置されたキャリア要素１０２が遠位端に取り付けられた本質的に管状のハウジング１０１を有する。剛毛房フィールド２００が、例えばアンカー植込み、ＡＦＴ（ａｎｃｈｏｒ  ｆｒｅｅ  ｔｕｆｔｉｎｇ）、又はその他の任意の技術などの、当該技術分野において既知の取り付け技術を用いて、キャリア要素１０２に取り付けられている。
【００１３】
図３は、図２に示されるブラシヘッド１０を通る縦断図を示す。ブラシヘッド１０は、長手方向に延びる本質的に管状のハウジング１０１を有する。管状のハウジング１０１は、当該技術分野で知られているように、電動歯ブラシのハンドル部分の駆動軸が、シャフト１６０のスナップフック１６３が駆動シャフトの溝に嵌り込むまで開口部に滑り込めるように配置された開口部を近位側に有する。キャリア要素１０２は、ブラシヘッド１０の遠位端に可動に取り付けられている。キャリア要素１０２は、心棒１５０に取り付けられており、その結果、キャリア１０２は、心棒１５０によって画定される回転軸Ｒを中心にして回転（又は回転するように振動）することができる。キャリア要素１０２は、Ｔ型の連結要素１６１によってシャフト要素に機械的に連結されて、シャフト要素１６０による長手方向軸を中心とする駆動軸の振動回転を、回転軸Ｒを中心とするキャリア要素１０２の振動回転に変える。シャフト要素１６０は、長手方向に延びる取り付けピン１６２で更にハウジング１０１に取り付けられている。ここで、回転軸Ｒは、長手方向に対して本質的に垂直である。図示されている実施形態では、キャリア要素１０２は、通常の動作中に力Ｆがキャリア要素１０２に掛けられ得、その結果、キャリア要素１０２がハウジング１０１から離れる可能性があるように、ハウジング１０１を越えて延びている。この分離が起こる力が臨界引き離し力である。そのような事例は、ブラシヘッド１０が床に落ちたとき、又はユーザ（例えば、子供）がキャリア要素１０２とハウジング１０１との間に歯を押し込んだときに、特に起こり得る。キャリア要素１０２が簡単に離れ得る（したがって、例えば飲み込まれ得る）のを防ぐために、ロッキングアセンブリが設けられるが、このロッキングアセンブリは、図示される実施形態では、ハウジング１０１において第１の支持位置１３０で支持される第１のロッキング要素１１０として実現されており、そのため、第１のロッキング要素１１０（ここでは、広げられたヘッド、即ちマッシュルームヘッドを有する金属のロッキングピンとして実現されている）は、ハウジングに固定されて結合している、例えば第１のロッキング要素１１０は、ハウジング１０１の孔に圧入され得る。第１のロッキング要素１１０は、第１の支持位置を越えて延び、キャリア要素１０２の第１の開口又は凹部１２０に係合する。
【００１４】
ここで、ブラシヘッドが損傷しないかつ／又はキャリア要素が離れないように臨界引き離し力ができるだけ高くなるように、ロッキングアセンブリを設計するのが実用的である。
【００１５】
図４では、図３と本質的に同じ縦断図が示されているが、図４は、図３に示されるロッキングアセンブリ以上に改善されたロッキングアセンブリの１つの代表的な実施形態を示す。図３の要素と本質的に同じ要素は、ここでは説明せずに、図３に関する説明を参照する。図３を参照して既に詳述された第１のロッキング要素１１０以外に、第２のロッキング要素１０３が設けられる。第２のロッキング要素１０３は、ここでは、キャリア要素１０２Ａに固定して取り付けられたロッキング要素として実現されており、具体的には、第２のロッキング要素１０３は、キャリア要素１０２Ａの一体部分であってよい（例えば、第２のロッキング要素１０３は、キャリア要素の射出成形プロセス中に成形されてよい）。別の実施形態では、第２のロッキング要素は、キャリア要素に設けられた孔に圧入される金属ピンとして実現されてもよい。第２のロッキング要素１０３は、ハウジング１０１Ａに設けられた凹部又は開口１０４内に延びる。ここでは、ハウジング１０１Ａは、中空の内側部分によって凹部を提供する。第２のロッキング要素１０３は、ハウジングの壁の後ろを掴むだけである。キャリア要素１０２Ａに作用する力は、第１のロッキング要素１１０のロック強度だけでなく、第２のロッキング要素１０３のロック強度にも打ち勝たなければならない。第２のロッキング要素の使用は、引き離し力が掛けられたときにロッキング要素に作用するてこ力も低減させる。
【００１６】
図５は、図３に示されるブラシヘッドに似たブラシヘッド内に設けられたロッキングアセンブリの更なる実施形態を示す。図５に示されるブラシヘッドは、図３を参照して詳述されたように、そのロッキングアセンブリの一部として、ハウジング１０１Ｂの第１の支持位置１３０で支持された第１のロッキング要素１１０であって、キャリア要素１０２Ｂの第１の開口又は凹部１２０に係合する、第１のロッキング要素１１０を含む。更に、図５によるブラシのロッキングアセンブリは、第２のロッキング要素１６２Ａを備える。この実施形態では、第２のロッキング要素１６２Ａは、シャフト要素１６０Ｂをハウジング１０１Ｂに取り付ける取り付けピンと一体である。第２のロッキング要素１６２Ａは、一方の端部でシャフト要素１６０Ｂの取り付け具を提供し、第２の端部で、キャリア要素１０２Ｂに形成された第２の開口又は凹部１２５に係合するように、取り付けピンを延ばすことにより実現される。第２のロッキング要素１６２Ａ（ここではロッキングピン、具体的には金属のロッキングピンとして実現されている）は、第２の支持位置１３５においてハウジング１０１Ｂで支持されている。
【００１７】
図６は、口腔ケア用具１Ａの、提案される別の実施形態の部分的な図である。ここでも、口腔ケア用具は、電動歯ブラシとして実現されており、ハンドル部分２０Ａ（一部分だけ図示）と、交換可能なブラシヘッド１０Ａとして実現されているヘッド部分とを備える。交換可能なブラシヘッド１０Ａは、とりわけスナップフック１０４によりハンドル部分２０Ａのハウジング２１に取り付けられているハウジング１０１Ｃを備えるが、このスナップフック１０４は、ハンドル部分２０のハウジング２１に設けられている切り欠き２２に係合するスナップノーズを有する。ブラシヘッド１０Ａは、先の実施形態のキャリア要素１０２に似た、振動回転するように取り付けられたキャリア要素１０２Ｃを更に含む。本明細書のブラシヘッド１０Ａは、更なるキャリア要素１０３Ａも含む。
【００１８】
図７は、図６に示される口腔ケア用具１Ａを通る、図６に示されるＡ−Ａ面に沿った断面図である。キャリア要素１０２Ｃは、回転軸Ｐを中心にして振動回転するように心棒１５０Ａに取り付けられている。この実施形態で提供されるロッキングアセンブリは、図３に示される実施形態と同様に、ブラシヘッドのハウジング１０１Ｃにおいて第１の支持位置１３１で支持されており、かつキャリア要素１０２Ｃに形成された第１の開口又は凹部１２１に係合する、第１のロッキングピン１１１を含む。
【００１９】
図８は、図７に示されるのと同じ断面図であるが、本開示によるブラシヘッドの異なる実施形態のものである。ここでは、ロッキングアセンブリは、ハウジング１０１Ｄにおいて第１の支持位置１３１で支持された第１のロッキング要素１１１であって、キャリア要素１０２Ｄに形成された第１の開口又は凹部１２１に係合する、第１のロッキング要素１１１を含む。加えて、このロッキングアセンブリは、ハウジング１０１Ｄにおいて第２の支持位置１３２で支持された更なるロッキング要素１２２であって、キャリア要素１０２Ｄに形成された第２の開口又は凹部１２２に係合する、更なるロッキング要素１２２を含む。ここでは、第１の支持位置１３１及び第２の支持位置１３２は、心棒１５０Ａにより画定されるキャリア軸に関して互いに対向しており、即ち、回転軸に関する２つの支持位置の角距離は、１８０度である。
【００２０】
図９Ａは、口腔ケア器具の別の実施形態を通る縦断図である。キャリア要素１０２Ｅは、振動回転するように心棒１５０Ａに可動に取り付けられている。この実施形態では、キャリア要素１０２Ｅに形成された第１の開口又は凹部１２３に係合する第１のロッキング要素１１３を含むロッキングアセンブリが提供されている。図９Ａに示されるのと同じ実施形態を通るが図９Ａに示されるＤ−Ｄ面に沿った縦断図である図９Ｂでは、第１のロッキング要素１１３が、ハウジング１０１Ｅにおいて一方の端部が第１の支持位置１３３で及び第２の端部が第２の支持位置１３４で支持されているのが示される。この実施形態では、ロッキング要素１１３に作用する力が２つの支持位置により吸収され、てこ力の影響が効果的に低減されるため、両側でのロッキング要素１１３の支持により、強いロックがもたらされる。第１の支持位置及び第２の支持位置は、キャリア要素１０２Ｅの回転軸に対してオフセットしているため、２つの支持位置の間の角距離は、約１１０度である。
【００２１】
２つの支持位置（例えば、図９Ｂに示されているように、第１の支持位置１３３及び第２の支持位置１３４）で支持されている第１のロッキング要素の支持されていない長さ、即ち、２つの支持位置間で自由に延びる第１のロッキング要素の長さは、第１のロッキング要素が２つの支持位置でハウジングによって支持される長さの少なくとも２倍である。支持長さ、即ち、第１のロッキング要素がハウジング内で支持される長さは、実施形態によっては、約３．０ｍｍ（即ち約１．５ｍｍの２倍）〜約６．０ｍｍ（即ち約３．０ｍｍの２倍）であり得る。支持されていない長さの利点のために支持長さを犠牲にすることは、ハウジング内の空洞をギアリング要素などのためにより効率的に使用できるようにする。一方、支持長さを過度に小さくすることは、不満足な引き離し力をもたらし得る。第１のロッキング要素の支持されていない長さは、約６．０ｍｍ〜約１５ｍｍであってよい。第１のロッキング要素の直径は、約０．５ｍｍ〜約２．０ｍｍ、特に約０．７ｍｍ〜約１．５ｍｍであってよい。各支持位置の支持長さは、実施形態によっては、第１のロッキング要素の直径の少なくとも約２倍であるように選択されてよい。いくつかの実施形態では、第１のロッキング要素は、金属ピンとして実現されてよく、具体的には、第１のロッキング要素は、摩耗を低減させるために硬化鋼から作製されてよい。
【００２２】
２つの支持位置で支持される単一の第１のロッキング要素を使用すると、引き離し力がキャリア要素に作用するときに、第１のロッキング要素に作用するてこ力も低減する。特に、そのような設計は、てこ力を効果的に回避する。
【００２３】
上述の改善されたロッキングアセンブリを利用すると、ハウジングのために軟質プラスチック材料、例えば約２５００Ｎ／ｍｍ２未満の引張強度を有するプラスチック材料を使用することも支援することになる。ＰＯＭ（ポリオキシメチレン）、ＰＢＴ（ポリブチレンテレフタレート）又はＰＡ（ポリアミド）など比較的強い（また通常は高価な）プラスチック材料をハウジングの材料として選択することにより、構造詳細（例えば、壁の厚さ、ロッキング要素の形、ロッキング要素の材料など）により付与されるがプラスチック材料の強度から利益が得られる、特定の臨界引き離し力がもたらされる。ＡＢＳ（アクリロニトリルブタジエンスチレン）、ＡＳＡ（アクリロニトリルスチレンアクリレート）又はＰＰ（ポリプロピレン）などのより軟質プラスチック材料を選択すると、明らかに、同じ構造に対してより低い臨界引き離し力がもたらされる。したがって、ハウジングの材料として、改善されたロッキングアセンブリを軟質プラスチック材料とともに使用すると、単一のロッキング要素又は単一の支持位置（例えば図３又は図７にそれぞれ示されている）と比べて臨界引き離し力が増大する。ＡＢＳ、ＡＳＡ、又はＰＰなどの軟質プラスチック材料を使用すると、言及した軟質プラスチック材料によく付着するが言及した硬質プラスチック材料には付着しないことが多い、特定の熱可塑性エラストマー材料（ＴＰＥ）を使用することも可能になる。その結果、舌クリーナーなどの構造体が、２構成成分又は多構成成分のプラスチック射出成形プロセスを用いて実現され得る。
【００２４】
ロッキングアセンブリのロッキング動作を改善するための更なる手段には、第１及び／若しくは第２の支持位置の周囲のハウジングの壁を厚くすること、又は強化プラスチック材料を使用すること（所望により、例えば支持位置、又はキャリア要素と一体の第２のロッキング要素に関しては局所的にのみ）を挙げることができる。
【００２５】
少なくとも１つの態様によると、口腔ケア用具は、ハウジングと、ハウジングに対する運動のために取り付けられたキャリア要素と、ハウジングからキャリア要素が離れるのを防ぐためのロッキングアセンブリと、を備え、ロッキングアセンブリは、ハウジングにおいて第１の支持位置及び第２の支持位置で支持された少なくとも第１のロッキング要素であって、キャリア要素の第１の開口又は凹部に係合する、少なくとも第１のロッキング要素を含む。
【００２６】
少なくとも１つの態様によると、口腔ケア用具は、ハウジングと、ハウジングに対する運動のために取り付けられたキャリア要素と、ハウジングからキャリア要素が離れるのを防ぐためのロッキングアセンブリと、を備え、ロッキングアセンブリは、ハウジングにおいて第１の支持位置で支持された少なくとも第１のロッキング要素であって、キャリア要素の第１の開口又は凹部に係合する、少なくとも第１のロッキング要素と、キャリア要素とハウジングとをロックするように配置された第２のロッキング要素と、を含む。
【００２７】
本明細書に開示した寸法及び値は、記載された正確な数値に厳密に限定されるものとして理解されるべきでない。むしろ、特に断らないかぎり、そのような寸法はそれぞれ、記載された値及びその値周辺の機能的に同等の範囲の両方を意味するものとする。例えば、「４０ｍｍ」として開示された寸法は、「約４０ｍｍ」を意味するものとする。
【図１】
2013542832.tif 000003
【図２】
2013542832.tif 000004
【図３】
2013542832.tif 000005
【図４】
2013542832.tif 000006
【図５】
2013542832.tif 000007
【図６】
2013542832.tif 000008
【図７】
2013542832.tif 000009
【図８】
2013542832.tif 000010
【図９Ａ】
2013542832.tif 000011
【図９Ｂ】
2013542832.tif 000012
【国際調査報告】
2013542832.tif 000013
2013542832.tif 000014
2013542832.tif 000015
2013542832.tif 000016